(57)【特許請求の範囲】
【請求項１】
バックポーチ部分の上にある同期成分を含むビデオ信号の信号源と、
前記バックポーチ部分を所定のＩＲＥレベルにクランプし、クランプされた輝度信号を生成するクランプ手段と、
前記クランプ手段の動作が行われる前の前記バックポーチ部分の連続的ＩＲＥレベルに対応する基準信号値を生成する手段と、
前記基準信号値と固定値との数的関係を示すスライスレベル値を発生する手段と、
前記スライスレベル値を所定のスライスレベルの範囲に制限する手段と、
前記ビデオ信号を前記所定のスライスレベルの範囲に制限された前記スライスレベル値と比較して複合同期信号を生成する手段と、
を具える適応型同期信号分離器。
【請求項２】
バックポーチ部分の上にある同期成分を含むディジタル・ビデオ信号の信号源と、
前記バックポーチ部分を所定のＩＲＥレベルにディジタル的にクランプし、クランプされた輝度信号を生成するクランプ手段と、
前記クランプ手段の動作が行われる前の前記バックポーチ部分の連続的ＩＲＥレベルに対応する基準信号値を生成する手段と、
前記基準信号値と固定値との数的関係を示すスライスレベル値をディジタル的に発生する手段と、
前記スライスレベル値を所定のスライスレベルの範囲に制限する手段と、
前記ビデオ信号を前記所定のスライスレベルの範囲に制限された前記スライスレベル値と比較して複合同期信号をディジタル的に生成する手段と、
を具える適応型同期信号分離器。
【発明の詳細な説明】
【０００１】
【発明の属する技術分野】
この発明は、同期信号分離器の分野に関し、特に、集積回路に組込むことができる適応型同期信号分離器の分野に関する。
【０００２】
【従来の技術】
ＰＩＰ表示器と一般にいわれるピクチャ・イン・ピクチャ(picture-in-picture)表示器において、挿入画面として現れる副(auxiliary)ビデオ信号用の集積回路プロセッサ内には、集積回路の同期信号分離器が用いられている。その集積回路は、ＤＰＩＰＩＣとして知られており、トムソン・コンシューマ・エレクトロニクス社製のテレビジョン受像機に使用されている。ＤＰＩＰＩＣ中の集積回路の同期信号分離器は、アナログ同期信号先端(tip)クランプ手段、アナログ−ディジタル変換器、ディジタル低域通過フィルタ、比較器、水平位相ロックループ（水平ＰＬＬ）回路、非線形フィルタおよびディジタルバックポーチクランプ手段を含んでいる。ＰＩＰ表示器における副画面用のビデオ信号は、その同期信号先端がクランプされ、ディジタル化され、低域通過濾波される。同期信号スライス用比較器は、副ビデオ信号の輝度（ルミナンス）成分を表すこの低域通過濾波された信号を、公称の同期信号先端のレベルの−４０ＩＲＥより約１５ＩＲＥだけ高い約−２５ＩＲＥの基準スライスレベルと比較する（但し、１ＩＲＥユニット＝１／１４０［Ｖ］）。比較器からは、水平および垂直同期信号からなる複合同期信号が出力される。水平同期信号は水平ＰＬＬ回路によって分離され、垂直同期信号は非線形フィルタによって分離される。分離された水平同期信号と輝度成分とがディジタルバックポーチクランプ手段に入力されるが、クランプ手段は同期信号分離におけるクランプ機能以外の機能は実行しない。ディジタルバックポーチクランプ手段からのクランプされた輝度信号は、集積回路中の別のビデオ処理に使用される。
【０００３】
上述のアプローチ（解決法）は、一般的な信号条件下においては旨く働くが、同期信号が圧縮されていたり信号中にノイズがある場合には誤りを生じる傾向がある。同期信号が圧縮されている場合に、ビデオ信号のレベルがスライス閾値より下に低下すると、エラー（誤り）が生じる。このエラーを最小限に押さえるには、スライスレベルを、同期信号先端とバックポーチとの間の公称の中間レベルである−２０ＩＲＥレベルよりも同期信号先端レベルに近いレベルに設定すればよい。このようにすると、耐ノイズ性が悪くなるが、一般的にはこれが最も妥当な解決策と考えられる。このような固定された同期信号スライス閾値レベルを用いた場合の動作性能レベルは、主ビデオ画面用の同期信号処理回路と比較した場合、かろうじて許容できる程度のものと考えられる。その理由は、弱い信号中または圧縮された同期信号を持つ信号中においては同期信号の消失が生じ得るからであり、一方、その信号は同期信号の点を別にすると表示可能または観察可能な（ｗａｔｃｈａｂｌｅ）信号だからである。換言すれば、その信号は、主画面の画像として観察可能であるが、副画面の画像としては観察可能ではない。
【０００４】
固定された同期信号スライスレベルに代わるものがＩＴＴディジタルチップ装置に用いられている。ＩＴＴディジタルチップ装置における同期信号分離器は、２つの動作モードを持っている。同期信号スライスレベルは、同期信号を検出（捕捉）する間は、ＤＰＩＰＩＣ中における場合と同様に固定されている。同期の確立後は、同期信号スライスレベルは、バックポーチに相当する黒レベルと同期信号先端レベルとを平均して得られる同期信号先端振幅の半値（５０％）に設定される。これにより、ビデオ信号のレベルによる誤ったトリガ発生の可能性を減少させることができる。その理由は、同期信号先端のレベルがバックポーチのレベルに近づくに従って、同期信号スライスレベルがバックポーチのレベルに向かって、少なくともバックポーチ側の所定レベルまで近づいて行くためである。同期信号先端レベルがバックポーチのレベルから大きく離れると、同期信号スライスレベルもバックポーチのレベルから少なくとも或るレベルまでは離れるので、耐ノイズ性が向上する。しかし、ＩＴＴディジタルチップ装置による改善では、主ビデオチャンネル処理における同期信号分離手段の動作性能レベルに実質的に匹敵する動作性能レベルは達成できない。
【０００５】
【発明が解決しようとする課題】
これに対して、同期信号スライスレベルを、ＩＴＴチップ装置の二重モードシステムまたは５０％のレベル制限とは関係なく、より広い範囲の同期信号先端レベル変動に対応してより広い範囲にわたって調整できれば、より良好な動作特性を実現することができる。
【０００６】
本発明の特徴に従えば、本発明のディジタルバックポーチクランプ手段はクランプ前のバックポーチレベルに対応するディジタル値を供給する。その数値は真の同期信号先端値であるかまたはそうではない同期信号先端基準数値と平均化処理される。その平均化処理によって得られた平均値は、制限処理されて、適応型同期信号スライス閾値レベルとして用いられる。本発明のアプローチとＩＴＴチップ装置のアプローチとの間には２つの基本的相違点がある。第１に、本発明では、同期信号先端スライスレベルが同期信号先端レベルとブランキング（黒）レベルとの間の中間レベルからオフセットされることである。これによって、実際の弱い同期信号先端レベルの対ノイズ特性を最適化し、アナログクランプ手段における漏洩およびノイズの非線形特性を補償することができる。弱い信号の閾値は中間レベルよりも、例えばさらに４ＩＲＥだけ、低い値になる。第２に、本発明では、平均化処理器の後にリミタが設けられている。このリミタは、同期信号先端スライス閾値の範囲を、公称の（ｎｏｍｉｎａｌ）半値（５０％）、例えば約−２０ＩＲＥとこの公称の半値を中心として±１０ＩＲＥの範囲に制限する。この範囲は、公称の同期信号先端値４０ＩＲＥの約２５％〜約７５％となる。これによって、同期信号の検出が容易になり、ラッチアップまたは発振を防止することができる。これによる動作特性の改善は顕著であり、垂直減数（カウントダウン）同期信号分離器の動作特性に近づくことができる。
【０００７】
【課題を解決するための手段】
本発明の構成に従う適応型同期信号分離器は、バックポーチ部分の上にある同期成分を含むビデオ信号源と；このバックポーチ部分を所定のＩＲＥレベルにクランプするクランプ手段と；このクランプ手段の動作に先立って前記バックポーチ部分の連続的（順次連続して繰り返すの意味で使われている）ＩＲＥレベルを示す値の出力基準信号を生成する手段と；前記基準信号値と固定値との数的関係を示すスライスレベル値を生成する手段と；前記ビデオ信号を前記スライスレベル値と比較して複合同期信号を生成する手段を具える。
【０００８】
この同期信号分離器は、さらに、スライスレベル値をあるスライスレベルの範囲に制限する手段と、ビデオ信号を制限されたスライスレベル値と比較して複合同期信号を生成する手段を含んでいてもよい。
【０００９】
ビデオ信号は、ディジタル・ビデオ信号であってもよい。この場合、クランプ手段、出力基準信号を生成する手段、スライスレベル値を発生する手段、複合同期信号を生成する手段、およびスライスレベル値を制限する手段は、ディジタル回路として具体化されるのが都合がよい。
【００１０】
或る好ましい実施例においては、クランプ手段がビデオ信号と直流オフセット値とを組合せて、バックポーチ部分の所定のレベル、例えばＩＲＥレベル、例えば０（ゼロ）Ｖを設定する。その出力基準信号は、直流オフセット値を示す信号であり、例えば直流オフセットレベルの分数値（何分の１かの値、ｆｒａｃｔｉｏｎ）である。
【００１１】
この発明は、種々のビデオ信号に適用可能であり、例えば、輝度信号、ＲＧＢ信号、および同期成分を含んでいる他の任意の信号に適用できる。
特許請求の範囲に記載された事項と実施例との対応関係を、図面で使われている参照符号で示すと次の通りである。
（請求項１）  バックポーチ部分の上にある同期成分を含むビデオ信号（ＬＵＭＡ）の信号源（１２）と、
前記バックポーチ部分を所定のＩＲＥレベル（例えば０）にクランプし、クランプされた輝度信号（ＣＬＡＭＰＥＤ  ＬＵＭＡ）を生成するクランプ手段（図２の１８）と、
前記クランプ手段の動作が行われる前の前記バックポーチ部分の連続的ＩＲＥレベルに対応する基準信号値（ＢＡＣＫ  ＰＯＲＣＨ  ＲＥＦ）を生成する手段（１８５）と、
前記基準信号値（ＢＡＣＫ  ＰＯＲＣＨ  ＲＥＦ）と固定値（例えば−６４）との数的関係を示すスライスレベル値（ＳＬＩＣＥ  ＬＥＶＥＬ）を発生する手段（２０１）と、
前記スライスレベル値（ＳＬＩＣＥ  ＬＥＶＥＬ）を所定のスライスレベルの範囲（例えば約−２０ＩＲＥ±１０ＩＲＥ）に制限する手段（２０３）と、
前記ビデオ信号（ＬＰＦ  ＬＵＭＡ２）を前記所定のスライスレベルの範囲に制限された前記スライスレベル値（ＳＬＩＣＥ  ＬＥＶＥＬ）と比較して複合同期信号（ＣＯＭＰＯＳＩＴＥ  ＳＹＮＣ）を生成する手段（２０４）と、
を具える適応型同期信号分離器。
（請求項２）  バックポーチ部分の上にある同期成分を含むディジタル・ビデオ信号（ＬＵＭＡ）の信号源（１４）と、
前記バックポーチ部分を所定のＩＲＥレベル（例えば０）にディジタル的にクランプし、クランプされた輝度信号（ＣＬＡＭＰＥＤ  ＬＵＭＡ）を生成するクランプ手段（図２の１８）と、
前記クランプ手段の動作が行われる前の前記バックポーチ部分の連続的ＩＲＥレベルに対応する基準信号値（ＢＡＣＫ  ＰＯＲＣＨ  ＲＥＦ）を生成する手段（１８５）と、
前記基準信号値（ＢＡＣＫ  ＰＯＲＣＨ  ＲＥＦ）と固定値（例えば−６４）との数的関係を示すスライスレベル値（ＳＬＩＣＥ  ＬＥＶＥＬ）をディジタル的に発生する手段（２０１）と、
前記スライスレベル値（ＳＬＩＣＥ  ＬＥＶＥＬ）を所定のスライスレベルの範囲（例えば約−２０ＩＲＥ±１０ＩＲＥ）に制限する手段（２０３）と、
前記ビデオ信号（ＬＰＦ  ＬＵＭＡ２）を前記所定のスライスレベルの範囲に制限された前記スライスレベル値（ＳＬＩＣＥ  ＬＥＶＥＬ）と比較して複合同期信号（ＣＯＭＰＯＳＩＴＥ  ＳＹＮＣ）をディジタル的に生成する手段（２０４）と、
を具える適応型同期信号分離器。
【００１２】
【発明の実施の形態】
図１には、本発明の構成に従う同期信号分離器１０がブロック図形式で示されている。ピクチャ・イン・ピクチャ表示器の挿入画面の信号源である副ビデオ信号が、アナログ同期信号クランプ回路１２に入力される。クランプされたアナログ信号はアナログ−ディジタル変換器１４に入力され、ディジタル・ビデオ信号、特に、水平および垂直同期成分を含む輝度信号（ＬＵＭＡ）を出力する。アナログ同期信号クランプ回路１２の同期信号先端基準（ＳＹＮＣ  ＴＩＰ  ＲＥＦ）は、例えばアナログ−ディジタル変換器１４の梯形抵抗回路から取出される。輝度信号がディジタル低域通過フィルタ１６に入力される。低域通過濾波された１つの輝度信号ＬＰＦ  ＬＵＭＡ１は低域通過フィルタ１６の第１の出力となる。輝度信号ＬＰＦ  ＬＵＭＡ１はディジタルバックポーチクランプ回路１８の入力となる。クランプ回路１８は、ＣＬＡＭＰＥＤ  ＬＵＭＡとして示されたクランプされたディジタル輝度信号を出力する。低域通過濾波された別の輝度信号ＬＰＦ  ＬＵＭＡ２は低域通過フィルタ１６の第２の出力となる。この輝度信号ＬＰＦ  ＬＵＭＡ２はディジタル適応型同期信号スライス回路２０の入力となる。
【００１３】
輝度信号ＬＰＦ  ＬＵＭＡ１とＬＰＦ  ＬＵＭＡ２とを、同じ信号にするか否か、または相異なる周波数応答特性を有するフィルタを介して低域通過濾波された信号とするかかどうかは、後で求められる処理に応じて決められる。低域通過フィルタ１６が同じまたは相異なる周波数の相異なる出力を有するか否か、または低域通過フィルタ１６を輝度信号ＬＰＦ  ＬＵＭＡ１とＬＰＦ  ＬＵＭＡ２とを生成する同じまたは相異なる周波数応答特性の別々の低域通過フィルタとして構成するか否かは、ここで説明する適応型同期信号スライス器においては重要ではない。
【００１４】
適応型同期信号スライス回路２０は、クランプ回路１８からバックポーチ基準信号（ＢＡＣＫ  ＰＯＲＣＨ  ＲＥＦ）をも受入れる。適応型同期信号スライス回路２０は複合同期信号（ＣＯＭＰＯＳＩＴＥ  ＳＹＮＣ）出力を生成し、これが水平位相ロックループ回路（ＨＰＬＬ）２２および非線形垂直同期信号分離器（ＶＥＲＴ  ＳＹＮＣ  ＳＥＰＡＲＡＴＯＲ）２４に入力されて、これら回路がそれぞれ水平および垂直同期成分を再生する。
【００１５】
水平同期信号（ＨＯＲ  ＳＹＮＣ）は端縁検出器および遅延回路３０に入力される。水平同期パルスは回路３０で端縁検出され、それを遅延した信号がタイミング信号ＬＵＭＡ  ＣＬＡＭＰ  ＰＵＬＳＥとしてバックポーチクランプ回路１８に供給される。
【００１６】
マスタクロック２６は、カラー副搬送波の４倍の周波数（４ｆｓｃと表記する）のクロック信号（ＣＬＫ）を生成する。このクロック信号はアナログ−ディジタル変換器１４と適応型同期信号スライス回路２０とに供給される。アナログーディジタル変換器１４は、この周波数（４ｆｓｃ）で、各水平ライン（線）について９１０個のディジタルサンプルを生成する。クロック信号ＣＬＫは分割器（分周器）２８で３６で除算（分周）され、低周波クロック信号（ＣＬＫ÷３６）を生成する。この低周波クロック信号は垂直フィルタ２４、即ち非線形垂直同期信号分離器２４で使用される。
【００１７】
ディジタルバックポーチクランプ回路１８、適応型同期信号スライス回路２０および垂直フィルタ２４が図２、図３および図４にそれぞれ示されている。これら各図において、幾つかの複数ビットディジタル信号には、星印（★）記号が付けられている。星印記号が付いた信号はすべて符号（±）のない信号であり、信号の大きさだけを示すものである。星印記号が付けられていない信号はすべて２の補数のフォーマットになっている。２の補数のフォーマットにおいて、先頭の２進１桁は符号を表し、残りの桁のビットは信号の大きさを表すのに用いられる。負数は、対応する正数の全ビットの補数をとって最下位の桁に１単位を加えて得られる。ｎビットで表される最も大きい負数は、ｎビットで表される最も大きい正数よりも大きさが１単位だけ大きい。数０については１つの表現法しかないので、従って、ｎビットのワードで表される数値は２ｎ個存在する。２の補数のフォーマットにおける引き算は、加算器と２の補数器を用いて実行されるので特に都合が良い。しかし、ここで説明する本発明を実施するには、必ずしも２の補数のフォーマットを用いる必要はない。
【００１８】
図２を参照すると、バックポーチクランプ回路１８は、低域通過濾波された輝度信号ＬＰＦ  ＬＵＭＡ、例えばＬＰＦ  ＬＵＭＡ１と、タイミング信号ＬＵＭＡ  ＣＬＡＭＰ  ＰＵＬＳＥ信号とに応動する。バックポーチクランプ回路１８は、バックポーチ基準信号ＢＡＣＫ  ＰＯＲＣＨ  ＲＥＦとクランプされた輝度信号ＣＬＡＭＰＥＤ  ＬＵＭＡとを生成する。このクランプ回路の基本的目的は、入来する輝度信号ＬＰＦ  ＬＵＭＡに直流オフセットを加えて、出力信号であるＣＬＡＭＰＥＤ  ＬＵＭＡのバックポーチのレベルが常にディジタルの０レベルになるようにすることである。分割器（分周器）１８５を除いたバックポーチクランプ回路１８全体は、必要な直流オフセットを与えるサーボとして見ることができる。
【００１９】
直流オフセットはアップ／ダウンカウンタ１８０の出力から生成される。アップ／ダウンカウンタ１８０は、入来するバックポーチレベルが０より低い場合には水平ライン毎に１回カウントアップ（増数）し、入来するバックポーチレベルが０より高い場合には水平ライン毎に１回カウントダウン（減数）する。カウンタ１８０はパルス発生器１８８の出力でイネーブル（ｅｎａｂｌｅ）される。パルス発生器１８８は入力信号であるタイミング信号ＬＵＭＡ  ＣＬＡＭＰ  ＰＵＬＳＥに応動する。パルス発生器１８８の各出力は、バックポーチ期間に水平ライン毎に１回生じる１システムクロック幅の１パルスである。このパルスはゲート１８２の一方の入力となり、ラップ（ｗｒａｐ）禁止回路１８１からの出力がゲート１８２の他方の入力となる。ラップ禁止回路１８１は分割器（分周器）１８３の出力の大きさに応動するカウントデコーダを含んでおり、分割器１８３はカウンタの出力の大きさを６４で除する。
【００２０】
分割器１８４は、カウンタの出力の大きさを１２８で除し、直流オフセット（ＣＬＡＭＰ  ＯＦＦＳＥＴ）を出力する。分割器１８４の動作は、カウンタがカウントアップまたはカウントダウンして連続的に１２８を計数すると、直流オフセット値が１カウントだけ増分変化（ｉｎｃｒｅｍｅｎｔ）または減分変化（ｄｅｃｒｅｍｅｎｔ）するようになっている。この直流オフセット値が加算回路（Σ）１８６の第１の入力となる。入力信号の輝度信号ＬＰＦ  ＬＵＭＡがその第２の入力となる。ゲート１８７が発生するキャリ・イン・ビットＣ  ＩＮがその第３の入力となる。パルス発生器１８８の別の１パルス出力とカウンタ１８０の出力のビット５とが、ゲート１８７に入力される。パルス発生器１８８の出力は、ゲート１８２に出力が供給された後にも数個分のマスタクロックを生じる。分割器１８９は出力信号としてクランプされた輝度信号ＣＬＡＭＰＥＤ  ＬＵＭＡを発生するが、この信号は加算回路１８６の出力を２で除した８ビット信号である。加算回路１８６の出力の最上位ビットＭＳＢは符号ビットＳＩＧＮ  ＢＩＴである。符号ビットＳＩＧＮ  ＢＩＴ（ＭＳＢ）はカウンタ１８０の計数方向を制御するエラー（誤り）信号（ＥＲＲＯＲ  ＳＩＧＮＡＬ）を表す。また、符号ビットＳＩＧＮ  ＢＩＴ（ＭＳＢ）はラップ禁止回路１８１にも入力される。
【００２１】
分割器１８５の出力信号のバックポーチ基準信号ＢＡＣＫ  ＰＯＲＣＨ  ＲＥＦは、重要な信号であり、分割器１８４の出力をさらに２で除した大きさを表している。即ち、出力信号ＢＡＣＫ  ＰＯＲＣＨ  ＲＥＦは、直流オフセット値の２分の１（ＣＬＡＭＰ  ＯＦＦＳＥＴ÷２）であり、輝度信号ＬＰＦ  ＬＵＭＡの同期信号振幅のほぼ半値を表す信号として適応型同期信号スライス回路２０に供給される。
【００２２】
ＩＲＥ数値を付記した適応型同期信号スライス回路２０が図３に示されている。バックポーチ基準信号ＢＡＣＫ  ＰＯＲＣＨ  ＲＥＦ信号は、加算回路（Σ）２０１の一方の入力となる。固定された基準オフセット数値が、加算回路２０１への他方の入力となる。この好ましい実施例において、基準オフセット数値は−６４である。加算回路２０１の出力はラッチ２０２に記憶される。ラッチ２０２の出力は、リミタ（制限器）回路２０３によって所定の値の範囲に制限される。この好ましい実施例において、リミタ回路の動作範囲は−１１５〜−９５である。これは±１０ＩＲＥの範囲を表している。リミタ回路２０３の出力であるスライスレベルＳＬＩＣＥ  ＬＥＶＥＬは比較器２０４の非反転入力Ａに結合される。輝度信号ＬＰＦ  ＬＵＭＡ、例えばＬＰＦ  ＬＵＭＡ２が、比較器２０４の反転入力Ｂに結合される。ＩＲＥ値を付記した公称の波形が例示されている。比較器２０４は、Ａ＞Ｂの場合に出力を発生する。比較器２０４の出力はラッチ２０５に記憶される。ラッチ２０５とラッチ２０２とはマスタクロック信号ＣＬＫによってイネーブルされる。入力信号である輝度信号ＬＰＦ  ＬＵＭＡが上記スライスレベルより低い場合に、ラッチ２０５の出力信号である複合同期信号ＣＯＭＰＯＳＩＴＥ  ＳＹＮＣが低くなる。その他の場合は、出力信号のＣＯＭＰＯＳＩＴＥ  ＳＹＮＣは高くなる。このようにして、同期信号スライスレベルは、常にバックポーチレベルと同期信号先端レベルとの間の約半値に調整される。
【００２３】
ラッチ２０５の出力信号である複合同期信号ＣＯＭＰＯＳＩＴＥ  ＳＹＮＣは、図１に示す水平ＰＬＬ回路２２に入力され、また、図４に詳細に示す垂直フィルタ２４にも入力される。水平ＰＬＬ回路２２は通常のものであって、詳細には示されていない。
【００２４】
図４を参照すると、非線形垂直同期信号分離器２４は、低周波クロック信号ＣＬＫ÷３６によってイネーブルされ、ゲート２４３を介して制御されるアップ／ダウンカウンタ２４１を具えている。ゲート２４３はラップ禁止回路２４２によって制御される。出力信号である複合同期信号ＣＯＭＰＯＳＩＴＥ  ＳＹＮＣは、低周波クロック信号ＣＬＫ÷３６によってイネーブルされた場合に、カウンタがカウントアップするかまたはカウントダウンするかを決定する。カウンタの出力は比較器２４４の非反転入力Ａに結合される。反転入力Ｂはマルチプレクサスイッチ２４５の出力に結合され、マルチプレクサスイッチ２４５は比較器２４４のスライスレベルを設定する。比較器２４４は、Ａ≧Ｂの場合に出力を発生する。比較器２４４の出力は、低周波クロック信号ＣＬＫ÷３６信号でクロック制御されているラッチ２４６に記憶される。ラッチ２４６は、分離された垂直同期信号ＶＥＲＴ  ＳＹＮＣを出力する。また、この垂直同期信号ＶＥＲＴ  ＳＹＮＣはスイッチ２４５を制御する。スライスレベルが交番する場合には、ヒステリシスが生じて、垂直同期信号ＶＥＲＴ  ＳＹＮＣのジッタが抑制される。
【図面の簡単な説明】
【図１】本発明の構成に従う同期信号分離器のブロック図である。
【図２】図１の同期信号分離器への使用に適したディジタルバックポーチクランプ手段のブロック図である。
【図３】図１の同期信号分離器への使用に適した適応型同期信号スライス回路のブロック図である。
【図４】図１の同期信号分離器への使用に適した垂直フィルタ（垂直同期信号分離器）のブロック図である。
【符号の説明】
１２  アナログ同期信号クランプ回路
１４  アナログ−ディジタル変換器
１６  ディジタル低域通過フィルタ
１８  ディジタルバックポーチクランプ回路
２０  ディジタル適応型同期信号スライス回路
２２  水平ＰＬＬ回路
２４  垂直同期信号分離器
３０  端縁検出器および遅延回路
２０１  加算回路
２０３  リミタ回路
２０４  比較器
【図１】
0003877180.tif 000002
【図２】
0003877180.tif 000003
【図３】
0003877180.tif 000004
【図４】
0003877180.tif 000005